(57)【要約】【課題】キノコ類の菌床栽培において、特に大きな被害をもたらすキノコバエ類のうちのナガマドキノコバエを選択的に、かつ効果的に捕虫するためのナガマドキノコバエの捕虫方法およびその捕虫器を提供する。【解決手段】このナガマドキノコバエの捕虫方法は、キノコ類の菌床栽培を行う菌床棟内に生息するキノコバエ類を捕虫するための捕虫方法であって、菌床棟内に生息するナガマドキノコバエを誘引するための香気を発するバナナの香料を含む誘引物質を準備し、その誘引物質が発する香気を拡散手段により拡散し、その拡散された香気により誘引されたナガマドキノコバエを、電磁波の波長が４０５〜４２０ｎｍの間でピークを有する誘引光源が照射する光により誘引し、その誘引光源により照射された光により誘引されたナガマドキノコバエを吸引手段により吸引することでナガマドキノコバエを選択的に捕虫する、ナガマドキノコバエの捕虫方法である。【選択図】図１
2011103787.tif 000002
【特許請求の範囲】
【請求項１】
キノコ類の菌床栽培を行う菌床棟内に生息するキノコバエ類を捕虫するための捕虫方法であって、
前記菌床棟内に生息するナガマドキノコバエを誘引するための香気を発するバナナの香料を含む誘引物質を準備し、
前記誘引物質が発する香気を拡散手段により拡散し、
前記拡散された香気により誘引されたナガマドキノコバエを、電磁波の波長が４０５〜４２０ｎｍの間でピークを有する誘引光源が照射する光により誘引し、
前記誘引光源により照射された光により誘引されたナガマドキノコバエを吸引手段により吸引することでナガマドキノコバエを選択的に捕虫する、
ナガマドキノコバエの捕虫方法。
【請求項２】
前記キノコ類の菌床栽培は、シイタケの菌床栽培である、請求項１に記載のナガマドキノコバエの捕虫方法。
【請求項３】
前記誘引光源の電磁波の波長は、４２０ｎｍにピークを持つ、請求項１または請求項２に記載のナガマドキノコバエの捕虫方法。
【請求項４】
前記誘引光源は、蛍光灯である、請求項１ないし請求項３に記載のナガマドキノコバエの捕虫方法。
【請求項５】
前記誘引物質は、ゼリー状、ゲル状、固形、マイクロカプセルのいずれかの形態である、請求項１ないし請求項４のいずれかに記載のナガマドキノコバエの捕虫方法。
【請求項６】
キノコ類の菌床栽培を行う菌床棟内に生息するキノコバエ類を捕虫するための捕虫器であって、
前記菌床棟内に生息するナガマドキノコバエを誘引するための香気を発するバナナの香料を含む誘引物質と、
前記誘引物質が発する香気を拡散させるための拡散手段と、
前記拡散された香気により誘引されたナガマドキノコバエをさらに誘引するための光を照射する、電磁波の波長が４０５〜４２０ｎｍの間でピークを有する誘引光源と、
前記誘引光源により照射された光により誘引されたナガマドキノコバエを吸引するための吸引手段とを備え、
ナガマドキノコバエを選択的に捕虫する、ナガマドキノコバエ用捕虫器。
【請求項７】
前記キノコ類の菌床栽培は、シイタケの菌床栽培である、請求項６に記載のナガマドキノコバエ用捕虫器。
【請求項８】
前記誘引光源の電磁波の波長は、４２０ｎｍにピークを持つ、請求項６または請求項７に記載のナガマドキノコバエ用捕虫器。
【請求項９】
前記誘引光源は、蛍光灯である、請求項６ないし請求項８に記載のナガマドキノコバエ用捕虫器。
【請求項１０】
前記誘引物質は、ゼリー状、ゲル状、固形、マイクロカプセルのいずれかの形態である、請求項６ないし請求項９のいずれかに記載のナガマドキノコバエ用捕虫器。
【発明の詳細な説明】
【技術分野】
【０００１】
この発明は、キノコ類の菌床栽培において被害をもたらすキノコバエ類を捕虫する捕虫方法およびその捕虫器に関し、特にたとえば、ナガマドキノコバエを選択的に捕虫するためのナガマドキノコバエの捕虫方法およびその捕虫器に関する。
【背景技術】
【０００２】
近年、キノコ類の菌床栽培においては、安定的な周年出荷を図るために、空調設備を導入した培養・発生施設が増加している。このような施設内の環境においては、温度は、年間を通して１２〜２５℃前後であり、湿度も高く、加えて、閉鎖空間であるために、キノコ類を食害するキノコバエ類の生息に適した環境となっている。このうち、特に、シイタケの菌床栽培においては、ナガマドキノコバエ（学名：Ｎｅｏｍｐｈｅｒｉａ  ｆｅｒｒｕｇｉｎｅａ）が多数発生することによる被害が知られている。ナガマドキノコバエの幼虫は、シイタケの傘の裏に生息し、そのシイタケの柄や傘を食害する。従って、食害を受けたシイタケはその商品価値を失い、またシイタケを出荷する際には、傘の裏等に生息するナガマドキノコバエの幼虫の確認・選別作業に長時間要し、また、発見できずに出荷した場合、流通過程あるいは店頭において幼虫もしくは羽化した成虫が現出して、流通関係者・消費者からクレームが寄せられる問題を有する。
【０００３】
シイタケの菌床栽培においては、農薬の散布は認められていないため、上述したようなナガマドキノコバエの食害の防除対策としては、もっぱらナガマドキノコバエの誘引捕殺による駆除方法が効果的とされている。
誘引捕殺の方法として、ナガマドキノコバエと同類のキノコバエ類であるクロバネキノコバエ類を誘引するとともに捕殺する誘引捕虫器として、紫外線を放射する蛍光灯と、この紫外線を放射する蛍光灯の少なくとも一表面を被覆するよう配設された透明シートからなり、その透明シートの表面には少なくとも一部分に粘着剤層が設けられてなることを特徴とする捕虫器を用いることにより捕虫する方法が提案されている（特許文献１参照）。
また、他の誘引捕殺の方法として、キノコ栽培において、当該キノコ栽培域の一部にキノコバエ等の飛翔性害虫に感知可能な量と強さの風を喚起可能とする送風機を配置し、該送風機の送風経路に誘蛾灯利用捕虫器、粘着シート利用捕虫器、誘引物質利用捕虫器を対設し、該風に対する飛翔性害虫の正の走化性（風に向かって飛翔する）を利用して捕虫器にて捕獲することを特徴とする捕虫方法が提案されている（特許文献２参照）。
さらに、他の誘引捕殺の方法として、捕虫器本体に３００〜６００ｎｍの波長の範囲の電磁波が放射するように施されており、該捕虫器本体に自然風の来る方向に合わせて該捕虫器本体の前方側を向ける風向舵を設けてなり、該捕虫器本体の前方側に向けて害虫の侵入口を１又は２以上設けてなり、該捕虫器本体の内部に前記侵入口から誘因侵入した害虫を捕獲する捕獲部を設け、さらに、捕獲部に捕獲水槽を設けてなることを特徴とする捕虫器により捕虫する方法が提案されている（特許文献３参照）。
【先行技術文献】
【特許文献】
【０００４】
【特許文献１】特開平８−０４７３６１号公報
【特許文献２】特開２００５−２０４６０２号公報
【特許文献３】特許第３７２９４３３号公報
【発明の概要】
【発明が解決しようとする課題】
【０００５】
しかしながら、特許文献１に記載されている捕虫器は、誘引源として紫外線を放射する蛍光灯および透明シートに設けられた粘着層を使用しているが、シイタケの菌床栽培が行われる菌床棟内は、光の届かない箇所が多いことから、この紫外線を放射する蛍光灯が発する誘引光の届かない範囲に生息するナガマドキノコバエには効果を期待することができないこと、また、菌床棟内で散布される水滴により、粘着層による捕虫の効果が低下するため、取替えの工数が増加し、コストの増加に繋がる問題がある。また、特許文献２に記載されている捕虫器は、誘引源として、０．１ｍ／秒〜１０ｍ／秒の送風機の風速を有する風を利用したものであるが、キノコバエ等が飛翔していることが前提であること、また、風の届かない範囲に生息するナガマドキノコバエには効果が期待できない問題がある。さらに、特許文献３に記載されている捕虫器は、誘引源として、捕虫器本体に３００〜６００ｎｍの波長の範囲の電磁波が放射されるように施され、そして自然の風の来る方向に合わせて捕虫器本体の前方側に向ける風向舵を利用したものである。その効果は、捕虫器本体から放射される電磁波の誘引光によって誘引され、かつ自然の風に乗って飛翔してきた害虫を捕虫するように構成したものであるが、捕虫器本体が見えない範囲に生息する害虫に対しては効果が期待できないこと、また、シイタケの菌床栽培は、その栽培に適した空調設備を導入した閉鎖空間で行われるため、自然の風が生じにくいことから風向舵の効果も期待できない問題がある。さらに、捕虫器本体内に設けられた捕獲部の水槽に殺虫液を入れ、放置しておくと、液の腐敗および液の蒸発により捕虫の効果が減退する問題がある。
さらにまた、特許文献１〜特許文献３の共通の問題として、シイタケの菌床栽培に対して特に被害をもたらすナガマドキノコバエを対象としたものでないことが挙げられる。
【０００６】
それゆえに、この発明の主たる目的は、キノコ類の菌床栽培において、特に大きな被害をもたらすナガマドキノコバエを選択的に、かつ効果的に捕虫するためのナガマドキノコバエの捕虫方法およびその捕虫器を提供することである。
【課題を解決するための手段】
【０００７】
この発明にかかるナガマドキノコバエの捕虫方法は、キノコ類の菌床栽培を行う菌床棟内に生息するキノコバエ類を捕虫するための捕虫方法であって、菌床棟内に生息するナガマドキノコバエを誘引するための香気を発するバナナの香料を含む誘引物質を準備し、誘引物質が発する香気を拡散手段により拡散し、拡散された香気により誘引されたナガマドキノコバエを、電磁波の波長が４０５〜４２０ｎｍの間でピークを有する誘引光源が照射する光により誘引し、誘引光源により照射された光により誘引されたナガマドキノコバエを吸引手段により吸引することでナガマドキノコバエを選択的に捕虫する、ナガマドキノコバエの捕虫方法である。
また、この発明にかかるナガマドキノコバエの捕虫方法では、キノコ類の菌床栽培が、シイタケの菌床栽培であることが好ましい。
また、この発明にかかるナガマドキノコバエの捕虫方法では、誘引光源の電磁波の波長が、４２０ｎｍにピークを持つことが好ましい。
さらに、この発明にかかるナガマドキノコバエの捕虫方法では、誘引光源が、蛍光灯であることが好ましい。
さらにまた、この発明にかかるナガマドキノコバエの捕虫方法では、誘引物質が、ゼリー状、ゲル状、固形、マイクロカプセルのいずれかの形態であることが好ましい。
この発明にかかるナガマドキノコバエ用捕虫器は、キノコ類の菌床栽培を行う菌床棟内に生息するキノコバエ類を捕虫するための捕虫器であって、菌床棟内に生息するナガマドキノコバエを誘引するための香気を発するバナナの香料を含む誘引物質と、誘引物質が発する香気を拡散させるための拡散手段と、拡散された香気により誘引されたナガマドキノコバエをさらに誘引するための光を照射する、電磁波の波長が４０５〜４２０ｎｍの間でピークを有する誘引光源と、誘引光源により照射された光により誘引されたナガマドキノコバエを吸引するための吸引手段とを備え、ナガマドキノコバエを選択的に捕虫する、ナガマドキノコバエ用捕虫器である。
また、この発明にかかるナガマドキノコバエ用捕虫器では、キノコ類の菌床栽培が、シイタケの菌床栽培であることが好ましい。
また、この発明にかかるナガマドキノコバエ用捕虫器では、誘引光源の電磁波の波長が、４２０ｎｍにピークを持つことが好ましい。
さらに、この発明にかかるナガマドキノコバエ用捕虫器では、誘引光源が、蛍光灯であることが好ましい。
さらにまた、この発明にかかるナガマドキノコバエ用捕虫器では、誘引物質が、ゼリー状、ゲル状、固形、マイクロカプセルのいずれかの形態であることが好ましい。
【発明の効果】
【０００８】
この発明にかかるナガマドキノコバエの捕虫方法及びその捕虫器によれば、特に、シイタケの菌床栽培が行われる菌床棟内は、光の届かない箇所が多いため、誘引物質が発する香気を拡散手段により強制的に拡散することにより、光の届かない箇所に生存するナガマドキノコバエを誘引し、そして、その誘引されたナガマドキノコバエに対して誘引光源を利用して誘引することができるので、効果的にナガマドキノコバエを捕虫することができる。
また、この発明にかかるナガマドキノコバエの捕虫方法及びその捕虫器によれば、誘引光源として、ナガマドキノコバエが特に誘引される電磁波の波長である、４０５〜４２０ｎｍにピークを持つ波長の誘引光源を備えるので、特にシイタケの菌床栽培に害をもたらすナガマドキノコバエを選択的に捕虫することができる。
さらに、この発明にかかるナガマドキノコバエの捕虫方法及びその捕虫器によれば、誘引物質として、ナガマドキノコバエが特に誘引されるバナナの香料を含むため、より選択的にナガマドキノコバエを捕虫することができる。
また、この発明にかかるナガマドキノコバエの捕虫方法では、誘引光源の電磁波の波長が、４２０ｎｍにピークを有することにより、より選択的にナガマドキノコバエを誘引することができる。
さらにまた、この発明にかかるナガマドキノコバエの捕虫方法及びその捕虫器によれば、バナナの香料を含む誘引物質が、ゼリー状、ゲル状、固形、マイクロカプセルのいずれかの形態である場合には、より長期の期間にわたり誘引物質を交換することなくナガマドキノコバエを誘引することができる。
【０００９】
この発明の上述の目的、その他の目的、特徴および利点は、図面を参照して行う以下の発明を実施するための形態の説明から一層明らかとなろう。
【図面の簡単な説明】
【００１０】
【図１】この発明にかかるナガマドキノコバエの捕虫方法を実現するためのナガマドキノコバエ用捕虫器の実施形態を示す模式図である。
【図２】この発明にかかるナガマドキノコバエ用捕虫器の蓋部に取り付けられる誘引光源部の他の実施例を示す模式図であり、（ａ）は、その側面図、（ｂ）は、その底面図である。
【図３】誘引光源および誘引物質の違いによる捕虫効果の試験を行った菌床棟の模式図である。
【図４】電磁波の波長のピークが４２０ｎｍである誘引光源の分光放射照度について示した図である。
【発明を実施するための形態】
【００１１】
本発明にかかるナガマドキノコバエの捕虫方法は、選択的にナガマドキノコバエを捕虫するために、その特性に着目した方法である。すなわち、発明者は、ナガマドキノコバエを誘引する場合に、特定の電磁波の波長にピークを有する誘引光源、および特定の香料が発する香気を有する誘引物質が特に効果的であることを見いだし、本発明に至ったものである。さらに、本発明にかかるナガマドキノコバエの誘引方法は、以下に説明するように、各々の要素を組み合わせることによる相乗効果を利用している。
第１に、ナガマドキノコバエを誘引するのに効果の高い誘引物質であるバナナの香料の香気を拡散手段たる送風機により拡散させることにより、シイタケの菌床栽培を行っている菌床棟内に広く生息するナガマドキノコバエを誘引する。
第２に、その誘引されたナガマドキノコバエに対して、ナガマドキノコバエを誘引するのに効果の高い電磁波の波長の４０５〜４２０ｎｍ、好ましくは４２０ｎｍにピークを有する誘引光源の光を照射させることにより、ナガマドキノコバエを誘引する。
第３に、その誘引光源の光によって誘引されてきたナガマドキノコバエを吸引手段たる送風機による吸引効果により、捕集用箱体において捕虫する。
以下、上述したナガマドキノコバエを捕虫する方法を実現したナガマドキノコバエ用捕虫器について説明する。
【００１２】
図１は、本発明にかかるナガマドキノコバエ用捕虫器１０の実施形態を示す模式図である。また、図２は、この発明にかかるナガマドキノコバエ用捕虫器１０の蓋部３０に取り付けられる誘引光源部の他の実施例を示す模式図であり、（ａ）はその側面図を示し、（ｂ）はその底面図を示す。
【００１３】
この発明にかかるナガマドキノコバエ用捕虫器１０は、シイタケの菌床栽培において、特に被害をもたらすナガマドキノコバエを選択的、かつ効果的に捕虫するために使用されるものである。このナガマドキノコバエ用捕虫器１０は、捕虫器本体部２０、蓋部３０、誘引光源部４０、送風機５０、捕集用箱体６０、および誘引物質部７０により構成される。
【００１４】
捕虫器本体部２０は、送風機５０および送風機５０により生成された送風経路５６を保持し、さらに、ナガマドキノコバエを捕集用箱体６０に導くために設けられる。捕虫器本体部２０は、例えば、略円筒形の筒状に形成される。そして、捕虫器本体部２０の上端縁には、略円形に形成された浸入口２２が形成され、捕虫器本体部２０の筒状内には、送風機保持部２４が形成され、捕虫器本体部２０の下端縁には、略円形に形成された通過口２６が形成される。捕虫器本体部２０の外側面２８には、例えば、黒色または濃緑色が施される。
【００１５】
蓋部３０は、捕虫器本体部２０に散布された水滴等の浸入を防止するとともに、ナガマドキノコバエを捕虫器本体部２０内に吸引する入り口を確保するために設けられる。さらに、後述する誘引光源４２が、照射する光を四方八方に照射する窓を確保するために設けられる。蓋部３０は、捕虫器本体部２０の上方に設けられる。蓋部３０は、上面部３２、組子３４および蓋支え部３６により構成される。さらに、上面部３２は、上面本体部３２ａ、鍔部３２ｂおよび吊り輪部３２ｃにより構成される。上面本体部３２ａは、略円筒形に形成される。鍔部３２ｂは、上面本体部３２ａの下面側に略円板形に形成される。また、吊り輪部３２ｃは、上面本体部３２ａの上面側の略中心部において、略半円形の輪に形成される。組子３４は、上面部３２および略円筒形に形成される蓋支え部３６の間に複数本形成される。すなわち、鍔部３２ｂの下面側における外縁の内側部分と蓋支え部３６の上端縁部分とが、複数本の組子３４により接続される。そして、上面部３２と蓋支え部３６との間には、組子３４により間仕切られた複数の浸入照射窓３８が形成される。また、蓋部３０は、蓋支え部３６の下端縁部分を、捕虫器本体部２０の浸入口２２の外側に嵌合して固定される。蓋部３０は、捕虫器本体部２０の上部に着脱可能に接続される。
【００１６】
誘引光源部４０は、その光によりナガマドキノコバエをナガマドキノコバエ用捕虫器１０に誘引するために設けられる。誘引光源部４０は、誘引光源４２および誘引光源４２を制御等するためのユニット４４により構成される。誘引光源部４０は、蓋部３０における上面部３２の鍔部３２ｂの下側面に、かつその面と平行に取り付けられる。従って、誘引光源部４０は、蓋部３０に形成される浸入照射窓３８の内側に形成される。言い換えると、浸入照射窓３８は、誘引光源４０の周りに取り囲むように形成されており、誘引光源４２の照射する光が、浸入照射窓３８を介して、四方八方に照射される。誘引光源４２は、例えば、蛍光灯またはＬＥＤが利用されるが、特に、蛍光灯が好ましい。なお、ユニット４４は、蛍光灯およびＬＥＤにあわせて、それぞれ対応するものが備えられる。誘引光源４２の電磁波の波長は、ナガマドキノコバエを誘引するために効果を奏する４０５〜４２０ｎｍの間でピークを有するのが好ましく、特に、４２０ｎｍにピークを有するものが好ましい。また、誘引光源４２に使用する蛍光灯について、直管型、サークライン等が使用できるが、直管型が好ましい。
誘引光源部４０を設けることで、誘引物質部７０に設けられた誘引物質７２の香気を送風機５０で拡散することにより、その香気で誘引されたナガマドキノコバエを、ナガマドキノコバエ用捕虫器１０に誘引させる効果を有する。
【００１７】
送風機５０は、誘引光源４２の光および誘引物質７２の香気により誘引されたナガマドキノコバエを蓋部３０に形成された浸入照射窓３８より捕集用箱体６０の内部へ吸引するための吸引手段の機能を有するとともに、この送風機５０により生成された送風経路５６上に設けられた誘引物質部７０における誘引物質７２が発する香気を周囲に拡散するための拡散手段の機能を有する。この送風機５０は、浸入照射窓３８を介して、捕虫器本体部２０の内部を通り、さらに、後述する捕集網部６４を通過するように連通して、上から下方向への送風経路５６を生成する。また、この送風機５０は、ナガマドキノコバエを捕虫するために、浸入照射窓３８を介して、捕虫器本体部２０の内部を通るように連通して、捕集用箱体６０までのナガマドキノコバエの浸入経路５８を生成する。送風機５０は、羽根部５２と電動機５４により構成される。そして、送風機５０は、捕虫器本体部２０の送風機保持部２４において保持される。羽根部５２には、吸い込み式の小型羽根が使用される。また、送風機５０は、防水仕様に構成される。
送風機５０は、誘引光源４２等により誘引されたナガマドキノコバエを吸引するとともに、誘引物質７２の香気を拡散する機能を有する。
【００１８】
捕集用箱体６０は、主に送風機５０により吸引されたナガマドキノコバエを捕集するとともに、送風機５０により生成された風を周囲に拡散させるために設けられる。捕集用箱体６０は、例えば、略円筒形の筒状に形成され、捕集口６２、捕集網部６４および底部６６により構成される。捕集網部６４は、網目状の物が捕集用箱体６０の側面に形成されることにより設けられ、捕集網部６４の上端縁には略円形の捕集口６２が形成される。そして、捕集網部６４の下端縁には底部６６が形成される。捕集網部６４は、誘引物質７２の香気が通過できるような通気性を有するとともに、捕集したナガマドキノコバエが通過できない網目の大きさに形成される。また、捕集用箱体６０の捕集口６２は、捕虫器本体部２０の下端縁の通過口２６の外側に嵌合して固定される。捕集用箱体６０は、捕虫器本体部２０に着脱可能に接続される。
捕集用箱体６０は、通気性を有する捕集網部６４を設けているので、送風機５０により生成された風が底部６６に衝突し、続いて、その風が捕集網部６４を通過し、ナガマドキノコバエ用捕虫器１０より四方八方に拡散させる機能を有する。
また、捕集用箱体６０は、捕虫器本体部２０に対して着脱可能に設けられるので、捕集用箱体６０の内部の掃除を容易に行うことができるとともに、誘引物質部７０が、着脱可能に設けられる捕集用箱体６０の底部６６の上面側に配置されるので、捕集用箱体６０内の掃除等を行うと同時に、誘引物質７２の交換等も行うことができる。
【００１９】
誘引物質部７０は、その香気によりナガマドキノコバエをナガマドキノコバエ用捕虫器１０に誘引するために設けられる。誘引物質部７０は、誘引物質７２と容器部７４とから構成される。誘引物質部７０は、捕集用箱体６０の底部６６における上面側の略中心部分に配置される。
誘引物質７２には、一ヶ月程度の蒸散効果を有し、腐敗しないような長期蒸散型誘引剤が使用され、例えば、ゼリー状、ゲル状、固形またはマイクロカプセルが使用される。そして、誘引物質７２には、ナガマドキノコバエを誘引するために効果を有するバナナの香料が使用される。このような誘引物質７２には、例えば、バナナ濃縮ゼリー、バナナエッセンスまたはバナナエッセンスゲルが利用される。
容器部７４は、誘引物質７２を入れておくために設けられ、例えば、円形の皿状に形成される。
送風機５０が生成する上から下方向への風が、捕集用箱体６０の側面に形成される捕集網部６４を通して誘引物質７２の香気とともに拡散するため、誘引光源４２による光の届かないナガマドキノコバエをナガマドキノコバエ用捕虫器１０に誘引することができる。
【００２０】
なお、誘引光源部４０は、図２に示すような誘引光源部１４０に変更してもよい。誘引光源部１４０は、誘引光源１４２および誘引光源１４２を制御等するためのユニット１４４により構成される。ユニット１４４は、鍔部３２ｂにおける下面側の略中央の領域において、適宜な間隔を隔てて、例えば、２箇所に配置される。そして、誘引光源１４２は、そのユニット１４４に取り付けられることで、鍔部３２ｂの下面に対して垂直下向きに取り付けられ、かつ、浸入照射窓３８を通じて誘引光源１４２の光が照射されるような範囲に取り付けられる。ここで、誘引光源１４２は、蛍光灯が好ましく、また、誘引光源１４２の長さは、少なくとも、鍔部３２ｂの下面から蓋支え部３６の上端縁までの長さを有するのが好ましい。
誘引光源部１４０が、このように取り付けられることで、前記誘引光源部４０に比べて、誘引光源１４２の光を、外部に対してより広範に照射させることができる。また、誘引光源部４０のように蓋部３０に対して平行に誘引光源４２を取り付けた場合、誘引光源４０の長さが長くなるとそれに対応して蓋部３０の水平方向の大きさを大きくする必要が生じるが、誘引光源部１４０のように誘引光源１４２を蓋部３０に対して垂直に取り付けることで、これを回避することができる。
【００２１】
次に、本発明にかかるナガマドキノコバエ用捕虫器１０に使用される誘引光源４２の電磁波の波長のピークの違いおよび誘引物質７２の違いによる捕虫効果の違いについて、それぞれの比較試験を行った。結果を、以下に説明する。
【００２２】
奈良県のシイタケの菌床栽培の菌床棟において、各試験を行った。図３は、試験を行った菌床棟の模式図を示す。菌床棟の大きさは、間口が９ｍで、奥行きが１５ｍであって、従って、延べ床面積が１３５ｍ2である。菌床棟の室内の温度は、１２〜２５℃（平均１８℃）であり、菌床棟の室内の湿度は、約８０％で保たれている。
【００２３】
（試験例１）
まず、表１に、誘電光源４２の電磁波の波長におけるピークの違いによる試験例を示す。本試験において、誘引光源４２は、３６５ｎｍにピークの電磁波の波長を有する蛍光灯（商品名：Ｑｕａｎｔｕｍ  ＢＬ，消費電力：３０Ｗ（１５Ｗ×２），メーカ名：Ｋｉｌｌｇｅｒｍ  Ｇｒｏｕｐ社製）、４０５ｎｍにピークの電磁波の波長を有するＬＥＤ（商品名：Ｖｉｏｒｅｔ  Ｄｉｏｄｅ，消費電力：２．８Ｗ（３５ｍＷ×３５），メーカ名：ＮＮ社製）、および４２０ｎｍにピークの電磁波の波長を有する蛍光灯（商品名：ＦＬ−２０  ＢＬ４２，消費電力：３０Ｗ，メーカ名：極光電機（株）製）を使用した。ここで、図４は、電磁波の波長のピークが４２０ｎｍである誘引光源の分光放射照度を示した図である。
また、試験により得られた結果が、誘引光源４２の電磁波の波長のみの違いによる効果によるものであることを明確にするために、ナガマドキノコバエの捕虫には巻き取り式粘着紙を使用した。なお、試験１および試験２については、巻き取り式粘着紙を使用せず、送風機付きの装置を使用した。また、設置場所は、（ａ）地上約２．５ｍと（ｂ）地上約０．５ｍの２種類で行った（図３を参照）。なお、設置場所（ａ）の場合は、試験を行った各装置が、天井から吊るすようにして設置されている。
【００２４】
【表１】
2011103787.tif 000003
【００２５】
試験１は、３６５ｎｍに電磁波の波長のピークを有する誘引光源４２について試験を行った結果である。このときのナガマドキノコバエの捕虫数は０匹であった。また、試験２は、４０５ｎｍに電磁波の波長のピークを有する誘引光源４２について試験を行った結果である。このときのナガマドキノコバエの捕虫数は１２５匹であった。これらの結果を比較してみると、試験１と試験２とは、実施期間が異なるものの、４０５ｎｍに電磁波の波長のピークを有する誘引光源４２の方が捕虫効果の大きいことが確認された。
【００２６】
また、表１において、試験３は、４２０ｎｍに電磁波の波長のピークを有する誘引光源４２について試験を行った結果である。このときのナガマドキノコバエの捕虫数は６８匹であった。また、試験４は、４０５ｎｍに電磁波の波長のピークを有する誘引光源４２について試験を行った結果である。このときのナガマドキノコバエの捕虫数は１匹であった。試験３および試験４は、同一の実施期間に同一の菌床棟内において試験を行ったものである。これらの結果を比較してみると、４２０ｎｍに電磁波の波長のピークを有する誘引光源４２の方が、３６５ｎｍに電磁波の波長のピークを有する誘引光源４２に比べて捕虫効果の大きいことが確認された。
【００２７】
さらに、試験５は、４０５ｎｍに電磁波の波長のピークを有する誘引光源４２について試験を行った結果である。このときのナガマドキノコバエの捕虫数は１匹であった。また、試験６は、４２０ｎｍに電磁波の波長のピークを有する誘引光源４２について試験を行った結果である。このときのナガマドキノコバエの捕虫数は３４匹であった。試験５および試験６は、同一の実施期間に同一の菌床棟内において試験を行ったものである。これらの結果を比較してみると、４２０ｎｍに電磁波の波長のピークを有する誘引光源４２の方が、４０５ｎｍに電磁波の波長のピークを有する誘引光源４２に比べて捕虫効果の大きいことが確認された。
【００２８】
以上の結果をまとめると、誘引光源４２における電磁波の波長のピークの違いによるナガマドキノコバエの捕虫効果は、４０５〜４２０ｎｍに電磁波の波長のピークを有する誘引光源４２を使用することが好ましいといえる。また、特に、４２０ｎｍに電磁波の波長のピークを有する誘引光源４２がその捕虫効果の大きいことが確認された。
【００２９】
（試験例２）
次に、表２に、誘引物質７２の違いによる試験例を示す。本試験において、誘引物質７２は、バナナ濃縮ゼリー（メーカ名：（株）フジコン製）、バナナエッセンス（メーカ名：塩野香料（株）製）、バナナエッセンスゲル（メーカ名：シバタ化成（株）製）、乳酸ゼリー（メーカ名：（株）フジコン製）、昆虫ゼリー（メーカ名：（株）フジコン製）およびカルピス（メーカ名：カルピス（株）製）を使用した。なお、バナナ濃縮ゼリー、乳酸ゼリーおよび昆虫ゼリーは、甲虫の餌として用いられているものであり、バナナエッセンスゲルは、バナナエッセンスをゲル化したものである。
なお、試験により得られた結果が、誘引物質７２のみの違いによる効果によるものであることを明確にするために、誘引光源４２、送風機５０、および粘着紙は使用していない。また、設置場所は、（ａ）地上約２．５ｍと、（ｂ）地上約０．５ｍの２種類で行った（図３を参照）。なお、設置場所（ａ）の場合は、誘引光源４２の電磁波の波長におけるピークの違いによる試験と同様に、試験を行った各装置が、天井から吊るすようにして設置されている。
【００３０】
【表２】
2011103787.tif 000004
【００３１】
表２において、試験５は、誘引物質７２としてバナナ濃縮ゼリーを使用し、試験６は、誘引物質７２として乳酸ゼリーを使用し、試験７は、誘引物質７２として昆虫ゼリーを使用し、試験８は、誘引物質７２としてカルピスを使用して試験を行った結果である。試験５ないし試験８は、同一の実施期間に同一の菌床棟内において試験を行ったものである。それぞれのナガマドキノコバエの捕虫数は、７０匹、４匹、６匹、０匹であった。これらの結果を比較してみると、誘引物質７２として、バナナの香料であるバナナ濃縮ゼリーを使用すると、捕虫効果の大きいことが確認された。
【００３２】
次に、誘引物質７２として、バナナの香料の違いによる捕虫効果について試験を行った。試験９は、誘引物質７２としてバナナ濃縮ゼリーを使用し、試験１０は、誘引物質７２として、バナナエッセンスを使用して試験を行った結果である。試験９および試験１０は、同一の実施期間に同一の菌床棟内において試験を行ったものである。それぞれのナガマドキノコバエの捕虫数は、２３匹および２９匹であった。これらの結果を比較してみると、誘引物質７２としてバナナ濃縮ゼリーとバナナエッセンスとの間においては、特に差はみられないといえる。
【００３３】
また、誘引物質７２として、バナナの香料の違いによる捕虫効果について、さらに別のバナナの香料を使用した試験を行った。試験１１は、誘引物質７２として、バナナ濃縮ゼリーを使用し、試験１２は、誘引物質７２として、バナナエッセンスゲルを使用して試験を行った結果である。試験１１および試験１２は、同一の実施期間に同一の菌床棟内において試験を行ったものである。それぞれのナガマドキノコバエの捕虫数は、１５０匹および１９匹であった。これらの結果を比較してみると、誘引物質７２としてバナナ濃縮ゼリーを使用すると、捕虫効果の大きいことが確認された。
【００３４】
以上の結果をまとめると、誘引物質７２の違いによるナガマドキノコバエの捕虫効果は、バナナの香料を使用することが好ましいといえる。また、少なくとも、バナナ濃縮ゼリーは、誘引物質７２としてその捕虫効果の大きいことが確認された。
【００３５】
本発明にかかるナガマドキノコバエの捕虫方法およびその捕虫器１０によれば、送風機５０により生成された風により誘引物質７２が発する香気を拡散することにより、誘引光源４２の光の届かないナガマドキノコバエを誘引させ、さらに、その誘引されたナガマドキノコバエに対して誘引光源４２の光を利用してナガマドキノコバエを誘引するので、効果的にナガマドキノコバエを効果的に捕虫することができる。また、誘引光源４２の電磁波の波長のピークが、４０５〜４２０ｎｍにピークを有する波長の誘引光源４２を備えるので、ナガマドキノコバエを選択的に捕虫することができる。さらに、誘引物質７２として、ナガマドキノコバエを誘引する効果の高いバナナの香料を使用するため、より選択的にナガマドキノコバエを捕虫することができる。
【００３６】
また、本発明にかかるナガマドキノコバエの捕虫方法およびその捕虫器１０によれば、誘引光源４２の電磁波の波長のピークが、４２０ｎｍであるので、より選択的にナガマドキノコバエを捕虫することができる。
【００３７】
また、本発明にかかるナガマドキノコバエの捕虫方法およびその捕虫器１０によれば、誘引物質が、ゼリー状、ゲル状、固形、マイクロカプセルのいずれかの形態であるので、長期間にわたって誘引物質を交換することなくナガマドキノコバエを誘引することができる。
【００３８】
また、本発明にかかるナガマドキノコバエ用捕虫器１０によれば、捕集用箱体６０の側面には、捕集網部６４が形成されているので、送風機５０により生成された風を四方八方に拡散させることができる。
【００３９】
さらに、本発明にかかるナガマドキノコバエ用捕虫器１０によれば、捕虫器本体部２０の上方に蓋部３０が形成されることで、シイタケの菌床栽培において行われる散水による水滴が、捕虫器本体部２０の内部側へ、すなわち浸入口２２を通って送風機保持部２４内に浸入することを防止することができる。
【００４０】
また、本発明にかかるナガマドキノコバエ用捕虫器１０によれば、捕集用箱体６０が、捕虫器本体部２０に対して着脱可能に設けられるので、捕集用箱体６０の内部にナガマドキノコバエが捕集されたとき、その捕集されたナガマドキノコバエを容易に取り除くことができる。
【００４１】
さらにまた、本発明にかかるナガマドキノコバエ用捕虫器１０によれば、着脱可能に設けられる捕集用箱体６０の底部６６の上面側に誘引物質部７０が設けられるので、捕集用箱体６０の内部の掃除等を行うと同時に、誘引物質７２の交換等を行うことができる。
【００４２】
本実施例においては、誘引光源４２として、電磁波の波長のピークが、４０５〜４２０ｎｍであるものを使用したが、これに限定されるものではない。例えば、本発明の実施例とは異なる誘引光源４２を使用してもよく、例えば、電磁波の波長のピークが、３６５ｎｍである誘引光源４２を使用してもよい。
また、本実施例においては、誘引物質７２として、バナナの香料を含んだ誘引物質を使用したが、これに限定されるものではない。例えば、本発明の実施例とは異なる誘引物質７２を使用してもよく、例えば、乳酸菌等を使用してもよい。
すなわち、捕虫の対象となる害虫の種類にあわせて、誘引光源４２および誘引物質７２をそれぞれ適宜組み合わせる事で、その捕虫の対象とする害虫を効果的に捕虫することができる。従って、本発明にかかる捕虫器に対して、誘引光源４２および／または誘引物質７２を捕虫する害虫にあわせて適宜変更した該捕虫器は、シイタケの菌床栽培に限定されることなく、シメジやまいたけ等その他のキノコ類の菌床栽培にも適用することができ、ナガマドキノコバエ以外のキノコの菌床栽培において発生する飛翔性害虫、例えば、キノコバエ類等のクロバネキノコバエに対しても有効に捕虫することができる。
【００４３】
また、本実施例において、誘引物質部７０は、捕集用箱体６０における底部６６の上面側に設けるとしたが、これに限定されるものではなく、送風機５０が生成する送風経路５６の経路上であれば、いずれに設けられてもかまわない。
【００４４】
また、本実施例において、送風機５０は、拡散手段および吸引手段のいずれの機能も有するように構成したが、これに限定されるものではなく、それぞれ異なる構成としてもかまわない。
【００４５】
さらに、本実施例において、送風機５０は、捕虫器本体部２０の内部に設けるようにしたが、これに限定されるものではなく、らせん状の気流を生成するような送風機５０たる吸入手段を捕虫器本体部２０の上部側に設けるようにしてもよい。そうすると、捕虫すべきナガマドキノコバエが、吸入手段により生成されたらせん状の気流に乗ることで、そのナガマドキノコバエを捕虫器本体部２０の内部に押し込むように吸入することができる。また、この場合、誘引物質７２が発する香気が、その生成されたらせん状の気流により拡散されるように、該吸入手段に拡散手段の機能を備えるようにしてもよい。
【００４６】
さらにまた、本実施例において、誘引光源部１４０におけるユニット１４４は、鍔部３２ｂの下面側の２箇所に形成されるとしたが、これに限定されるものではなく、ユニット１４４は、１箇所、または２箇所より多く形成されてもよい。
【産業上の利用可能性】
【００４７】
この発明にかかるナガマドキノコバエの捕虫方法は、シイタケの菌床栽培において、その害虫であるナガマドキノコバエを選択的に、かつ効果的に捕虫するための捕虫方法に利用できる。
【符号の説明】
【００４８】
１０  ナガマドキノコバエ用捕虫器
２０  捕虫器本体部
２２  浸入口
２４  送風機保持部
２６  通過口
２８  外側面
３０  蓋部
３２  上面部
３２ａ  上面本体部
３２ｂ  鍔部
３２ｃ  吊り輪部
３４  組子
３６  蓋支え部
３８  浸入照射窓
４０，１４０  誘引光源部
４２，１４２  誘引光源
４４，１４４  ユニット
５０  送風機
５２  羽根部
５４  電動機
５６  送風経路
５８  ナガマドキノコバエの浸入経路
６０  捕集用箱体
６２  捕集口
６４  捕集網部
６６  底部
７０  誘引物質部
７２  誘引物質
７４  容器部
【図１】
2011103787.tif 000005
【図２】
2011103787.tif 000006
【図３】
2011103787.tif 000007
【図４】
2011103787.tif 000008